(57)【要約】【課題】簡易な構成により各種形態の浴槽に所望の保温性能を容易に確保できて、コスト面と作業面で優れた保温構造を備えた浴槽を提供する。【解決手段】湯が貯留される浴槽の側壁及びまたは底壁の外周面に設けられて浴槽内の湯を保温し得る保温構造を備えた浴槽であって、前記保温構造は、浴槽の外周面に貼り付けられる複数本の棒状断熱材を備えることを特徴とする。前記棒状断熱材は、浴槽の外周面に互いに略密着状態で貼り付けられていたり、隣接する棒状断熱材間に空間を有して浴槽の外周面に貼り付けられる。また、前記空間内にビーズ状断熱材が注入等により充填されていたり、前記棒状断熱材の外面側がシート状断熱材で覆われる。【選択図】  図１
2008092965.tif 000002
【特許請求の範囲】
【請求項１】
湯が貯留される浴槽の側壁及びまたは底壁の外周面に設けられて浴槽内の湯を保温し得る保温構造を備えた浴槽であって、
前記保温構造は、浴槽の前記外周面に貼り付けられる複数本の棒状断熱材を備えることを特徴とする浴槽。
【請求項２】
前記棒状断熱材は、浴槽の外周面に互いに略密着状態で貼り付けられていることを特徴とする請求項１に記載の浴槽。
【請求項３】
前記棒状断熱材は、隣接する棒状断熱材間に空間を有して浴槽の外周面に貼り付けられていることを特徴とする請求項１に記載の浴槽。
【請求項４】
前記空間内にビーズ状断熱材が充填されていることを特徴とする請求項３に記載の浴槽。
【請求項５】
前記棒状断熱材は、その外面側がシート状断熱材で覆われていることを特徴とする請求項１ないし４のいずれかに記載の浴槽。
【請求項６】
前記棒状断熱材は、予め所定長さの角柱形状に成形されていることを特徴とする請求項１ないし５のいずれかに記載の浴槽。
【発明の詳細な説明】
【技術分野】
【０００１】
本発明は、浴槽の側壁や底壁等に設けた保温構造により浴槽内の湯を保温し得る浴槽に関する。
【背景技術】
【０００２】
従来、浴槽に設けられる保温構造としては、例えば図１０（ａ）〜（ｃ）に示す３つの構造が知られている。このうち図１０（ａ）に示す保温構造は、金型を使用して浴槽１の側壁１ａや底壁形状に対応した形状の発泡ウレタン等からなる複数の断熱材１０１を成形し、この各断熱材１０１を浴槽１の側壁１ａや底壁の所定位置に貼り付けるようにしたものである。また、図１０（ｂ）に示す保温構造は、発泡ウレタン等からなる平板状の断熱材１０２を複数種類準備し、この各断熱材１０２を折り曲げて浴槽１の側壁１ａや底壁に貼り付けるようにしたものであり、さらに、図１０（ｃ）に示す保温構造は、浴槽１の側壁１ａや底壁にノズル１０３によりウレタン等の断熱性樹脂を所定量直接吹き付けるようにしたものである。なお、この種の保温構造に係わる公報としては、例えば特許文献１が知られている。
【特許文献１】特開２００５−２７３９号公報
【発明の開示】
【発明が解決しようとする課題】
【０００３】
しかしながら、図１０（ａ）に示す保温構造の場合は、大きさやＲ／Ｌ等の浴槽１の各種形態に応じた金型が必要となり、設備投資が膨大になり易くコスト面で好ましくない。また、図１０（ｂ）に示す保温構造の場合は、所定の保温性能を確保するために断熱材１０２の板厚を厚く設定すると、断熱材１０２のまっすぐ伸びようとする反発力により断熱材１０２の曲げ作業自体が難しくなると共に、貼り付け後に断熱材１０２の性質により剥がれ易く耐久性の面でも好ましくない。さらに、図１０（ｃ）に示す保温構造の場合は、浴槽１の側壁１ａや底壁に吹き付けられるウレタン等が水に触れて加水分解する虞があり耐久性の面で劣ると共に、水に触れないとしても断熱性能を確保するためには相当量のウレタン等の樹脂を吹き付ける必要があり、その作業時間が長くなる等、作業性の面で好ましくない。
【０００４】
本発明は、このような事情に鑑みてなされたもので、その目的は、簡易な構成により各種形態の浴槽に所望の保温性能を容易に確保できて、コスト面と作業面で優れた保温構造を備えた浴槽を提供することにある。
【課題を解決するための手段】
【０００５】
かかる目的を達成すべく、本発明のうち請求項１に記載の発明は、湯が貯留される浴槽の側壁及びまたは底壁の外周面に設けられて浴槽内の湯を保温し得る保温構造を備えた浴槽であって、前記保温構造は、浴槽の前記外周面に貼り付けられる複数本の棒状断熱材を備えることを特徴とする。
【０００６】
そして、前記棒状断熱材は、請求項２に記載の発明のように、浴槽の外周面に互いに略密着状態で貼り付けられていたり、請求項３に記載の発明のように、隣接する棒状断熱材間に空間を有して浴槽の外周面に貼り付けられていることが好ましい。また、請求項４に記載の発明のように、前記空間内にビーズ状断熱材が充填されていることが好ましい。さらに、前記棒状断熱材は、請求項５に記載の発明のように、その外面側がシート状断熱材で覆われていることが好ましく、また、請求項６に記載の発明のように、予め所定長さの角柱形状に成形されていることが好ましい。
【発明の効果】
【０００７】
本発明のうち請求項１に記載の発明によれば、浴槽の側壁や底壁からなる外周面に複数本の棒状断熱材が貼り付けられることにより保温構造が構成されているため、折り曲げが容易な棒状断熱材の使用により、各種形態の浴槽の外周面に棒状断熱材を簡単に貼り付けて所望の断熱性能を確保できて、コスト面と貼り付け作業等の作業面で優れた保温構造を備えた浴槽を得ることができる。
【０００８】
また、請求項２に記載の発明によれば、請求項１に記載の発明の効果に加え、棒状断熱材が浴槽の外周面に互いに略密着状態で貼り付けられているため、幅方向等に密着状態で貼り付けられた棒状断熱材により、浴槽の外周面に所望の断熱性能を容易に確保することができる。
【０００９】
また、請求項３に記載の発明によれば、請求項１に記載の発明の効果に加え、隣接する棒状断熱材間に空間を有して各棒状断熱材が浴槽の外周面に貼り付けられているため、棒状断熱材間の空間（空気）により所望の断熱性能を確保できると共に、棒状断熱材の使用本数を減らしてコスト的に有利な保温構造を得ることができる。
【００１０】
また、請求項４に記載の発明によれば、請求項３に記載の発明の効果に加え、空間内にビーズ状断熱材が注入等により充填されているため、ビーズ状断熱材により空間内の断熱性能をより高めて、一層効果的な保温構造を得ることができる。
【００１１】
さらに、請求項５に記載の発明によれば、請求項１ないし４に記載の発明の効果に加え、棒状断熱材の外面側がシート状断熱材で覆われているため、シート状断熱材により棒状断熱材の断熱性能をより高めて、より一層効果的な保温構造を得ることができる。
【００１２】
また、請求項６に記載の発明によれば、請求項１ないし５に記載の発明の効果に加え、棒状断熱材が予め所定長さの角柱形状に成形されているため、成形される棒状断熱材の種類が１種類で良く、棒状断熱材自体を安価に形成して、より一層コスト的に有利な保温構造を得ることができる。
【発明を実施するための最良の形態】
【００１３】
以下、本発明の実施の形態を図面に基づいて詳細に説明する。
図１〜図３は、本発明に係わる浴槽の第１の実施形態を示し、図１がその斜視図、図２が要部の拡大断面図、図３が棒状断熱材の説明図である。
【００１４】
図１に示すように、例えばシステムバスルームに設置される浴槽１は、上縁フランジを有する側壁１ａと、排水口（図示せず）が設けられた底壁１ｂ等を有し、底壁１ｂに設けた脚部がシステムバスルームの浴槽側防水パン（図示せず）上に載置されている。この浴槽１の側壁１ａの外面で例えば高さ方向の略中間位置から下方には、上下方向に複数本（図では３本）の棒状断熱材２が貼り付けられている。
【００１５】
すなわち、図２及び図３に示すように、発泡ウレタン等の成形により例えば一辺Ｗが３０ｍｍの角柱形状に形成された棒状断熱材２が、上下の幅方向に互いに密着した状態で両面テープ３（もしくは接着剤等）により浴槽１の側壁１ａ外面（外周面）に貼り付けられている。この３本の棒状断熱材２の貼り付けにより、浴槽１の側壁１ａに所望の断熱性能（保温性能）が確保されて、浴槽１内に貯留されている湯の温度低下が抑制されるようになっている。
【００１６】
この棒状断熱材２の浴槽１の側壁１ａへの貼り付け作業は、例えば図３に示すようにして行われる。すなわち、先ず、図３（ａ）に示すように、金型の使用により折り曲げが比較的容易な発泡系樹脂を成形して所定長さＬで１辺Ｗが３０ｍｍの角柱形状の棒状断熱材２を所定数まとめて製造する。そして、この棒状断熱材２を所定本数（例えば６本）準備し、各棒状断熱材２を図３（ｂ）に示すように、浴槽１の側壁１ａの形状に対応させて平面視で略Ｕ字形状に折り曲げて略対称形状の対とし、この折り曲げ状態の一対の棒状断熱材２が浴槽１の側壁１ａ外面に貼り付けられる。
【００１７】
この棒状断熱材２の貼り付けは、例えば予め両面テープ３の一方の貼着面を棒状断熱材２に貼り付けた状態で、両面テープ３の他方の貼着面を浴槽１の側壁１ａにその全周方向に貼り付けつつ棒状断熱材２を折り曲げながら、つまり貼り付けと折り曲げを略同時に行い、最後に対となった棒状断熱材２の端部を切断して長さ調整することにより行うことができる。なお、各棒状断熱材２の貼り付けは、例えば浴槽１を設置する施工現場で行う場合は、貼り付けと折り曲げを略同時に行うことが作業能率の面から好ましいが、例えば工場等で所定形態の浴槽１に棒状断熱材２を貼り付けて出荷する場合は、棒状断熱材２を予め浴槽１の側壁１ａ形状に対応させた形状とし、この折り曲げ形状の各棒状断熱材２を浴槽１の所定位置に貼り付けるようにしても良いし、棒状断熱材２を対とすることなくリング状に形成してこれを浴槽１の底壁１ｂ側から嵌挿させて貼り付けることも可能である。
【００１８】
このように、上記実施形態の浴槽１にあっては、浴槽１の側壁１ａ外面に３本の角柱形状の棒状断熱材２が貼り付けられることにより保温構造が構成されているため、断熱性能を向上させるために板厚を厚くした場合でも折り曲げが比較的容易な棒状断熱材２の使用により、浴槽１の三次元的な曲面を有する外周面であっても、棒状断熱材２を簡単に貼り付けて浴槽１の側壁１ａに所望の断熱性能を確保することができ、コスト的に有利でかつ断熱材２の貼り付け作業を簡略化して作業性の面でも優れた保温構造を備えた浴槽１を得ることができる。
【００１９】
特に、角柱形状の棒状断熱材２が浴槽１の外周面の全域に上下方向に互いに密着状態で貼り付けられているため、上下幅方向に密着状態の棒状断熱材２により、浴槽１内に貯留される湯の水位の上部となる側壁１ａの所定高さ位置に所望の断熱性能を確保することができて、浴槽１内の湯に効果的な保温効果を容易に得ることができる。その結果、家族が順番で入浴する場合であっても、各入浴者が追い焚きしたり高温差し湯をする必要が少なくなり、省エネ面と使い勝手に優れた浴槽１を提供することが可能となる。
【００２０】
また、棒状断熱材２が予め所定長さＬの角柱形状に成形され、この各棒状断熱材２を長さ調整して使用するため、保温構造に使用される棒状断熱材２の種類が１種類で良く、棒状断熱材２自体の成形を安価に行うことができると共に、棒状断熱材２の保管・管理費用等を削減することができる。また同時に、棒状断熱材２が角柱形状で折り曲げが可能であることから、施工現場での棒状断熱材２の浴槽１の側壁１ａへの貼り付け作業自体を容易に行うことができる等、コスト的に一層有利な保温構造を得ることが可能となる。
【００２１】
図４〜図９は、本発明に係わる浴槽の第２〜第４の実施形態を示している。以下、上記第１の実施形態と同一部位には、同一符号を付して説明する。先ず、図４及び図５に示す第２の実施形態の浴槽１の特徴は、第１の実施形態の棒状断熱材２の外面をシート状断熱材４で覆った点にある。このシート状断熱材４としては、厚さが５ｍｍ程度のものが使用され、棒状断熱材２の外面に両面テープ５（もしくは接着剤等）により貼り付けられている。この実施形態の浴槽１にあっても、上記第１の実施形態の浴槽１と同様の作用効果が得られる他に、シート状断熱材４により棒状断熱材２の断熱性能が一層高まり、浴槽１の側壁１ａの保温性能を一層向上させることができると共に、シート状断熱材４により棒状断熱材２の貼付状態が補強されて、使用による棒状断熱材２自体の剥がれ等を防止し、長期に亘り保温性能を安定維持できる等の作用効果を得ることができる。
【００２２】
また、図６及び図７に示す第３の実施形態の浴槽１の特徴は、前記棒状断熱材２を格子状として浴槽１の側壁１ａに貼り付けると共に、この棒状断熱材２の外面にシート状断熱材４を貼り付けた点にある。すなわち、角柱形状の棒状断熱材２を、上下に所定の間隔を有して側壁１ａに貼り付けると共に、この横方向棒状断熱材２ａ間の所定位置に縦方向棒状断熱材２ｂを複数本（図では６本）介装させて貼り付ける。これにより、縦横の棒状断熱材２ａ、２ｂにより棒状断熱材２が格子状となり、各棒状断熱材２ａ、２ｂ間に空間６が形成された状態となる。
【００２３】
そして、この格子状の棒状断熱材２の外面にシ−ト状断熱材４が貼り付けられ、これにより、各棒状断熱材２ａ、２ｂ間に密閉状態の空間６を有する保温構造が得られることになる。この実施形態の浴槽１にあっても、上記第１の実施形態の浴槽１と同様の作用効果が得られる他に、密閉した空間６内の空気やシート状断熱材４によって浴槽１の側壁１ａに所望の断熱性能が得られると共に、棒状断熱材２自体の使用本数を減らすことができ、部材コストの低減化や貼り付け作業の簡略化を図ることができてコスト的に一層有利になる等の作用効果を得ることができる。
【００２４】
さらに、図８及び図９に示す第４の実施形態の浴槽１の特徴は、第３の実施形態の空間６内に、ビーズ状断熱材７を充填させた点にある。この時、格子状の棒状断熱材２の外面に貼り付けられるシート状断熱材４の所定位置に注入孔８を形成しておき、棒状断熱材３及びシ−ト状断熱材４を浴槽１の側壁１ａに貼り付けた後に、シート状断熱材４の注入孔８からビーズ状断熱材７を空間６内に注入する。これにより、空間６内にビーズ状断熱材８が充填され、このビーズ状断熱材８の断熱性能によって、浴槽１の側壁１ａに所望の保温性能が得られることになる。この実施形態の浴槽１にあっても、上記第１の実施形態の浴槽１と同一の作用効果が得られる他に、所定性能のビーズ状断熱材８の選択使用により断熱性能を一層向上させて、浴槽１の側壁１ａに所望の保温効果を容易に確保できる等の作用効果を得ることができる。
【００２５】
なお、本発明は、上記した第１〜第４の実施形態のそれぞれに限定されるものではなく、例えば第２の実施形態においてシート状断熱材４を省略したり、第３の実施形態の空間６内にビーズ状断熱材７以外の板状やグラスウール等の適宜の断熱材を充填させる等、各実施形態の一部の構成を省略したり、各実施形態の一部の構成を組み合わせる等、適宜に変更することができる。また、上記各実施形態においては、棒状断熱材２を断面正方形状の角柱形状に形成したが、例えば断面長方形状の角柱形状で形成したり、浴槽１の側壁１ａへの接触面のみが平坦な断面適宜形状の棒状の断熱材を使用することもできる。
【００２６】
さらに、上記各実施形態においては、棒状断熱材２を浴槽１の側壁１ａ外面の全周に貼り付ける例について説明したが、本発明はこの構成に限定されず、例えば浴槽１の底壁１ｂ外面（外周面）に棒状断熱材２を貼り付けることもでき、この時の構成も上記第１〜第４の実施形態及びその他適宜形態の保温構造を採用することができる。また、棒状断熱材２を貼り付ける位置も浴槽１の側壁１ａの全周に限らず、例えば側壁１ａの一部（洗い場側）に貼り付ける構成とすることもできる。また、上記各実施形態における、浴槽１の形態、各断熱材の太さや長さ等の形態及びその貼り付け構造等も一例であって、本発明に係わる各発明の要旨を逸脱しない範囲において適宜に変更することができる。
【産業上の利用可能性】
【００２７】
本発明は、システムバスルームに設置される浴槽に限らず、単独で設置される浴槽や各種施設の浴槽等、全ての浴槽に利用できる。
【図面の簡単な説明】
【００２８】
【図１】本発明に係わる浴槽の第１の実施形態を示す斜視図
【図２】同要部の拡大断面図
【図３】同その棒状断熱材の説明図
【図４】本発明に係わる浴槽の第２の実施形態を示す斜視図
【図５】同要部の拡大断面図
【図６】本発明に係わる浴槽の第３の実施形態を示す一部分解した斜視図
【図７】同その要部の拡大断面図
【図８】本発明に係わる浴槽の第４の実施形態を示す要部斜視図
【図９】同その要部の拡大断面図
【図１０】従来の浴槽を示す説明図
【符号の説明】
【００２９】
１・・・浴槽、１ａ・・・側壁、１ｂ・・・底壁、２・・・棒状断熱材、３・・・両面テープ、４・・・シート状断熱材、５・・・両面テープ、６・・・空間、７・・・ビーズ状断熱材、８・・・注入孔。
【図１】
2008092965.tif 000003
【図２】
2008092965.tif 000004
【図３】
2008092965.tif 000005
【図４】
2008092965.tif 000006
【図５】
2008092965.tif 000007
【図６】
2008092965.tif 000008
【図７】
2008092965.tif 000009
【図８】
2008092965.tif 000010
【図９】
2008092965.tif 000011
【図１０】
2008092965.tif 000012